(57)【特許請求の範囲】
【請求項１】
ケーソン杭の過流し込みモニタリング装置であって、
モニタリング部と、移動部とを備え、
前記モニタリング部は、ケーソン杭の杭口杭外枠（１）に固定するための固定座を含む台座（３）と、台座（３）に挿接される過流し込みモニタリング装置とを備え、移動部は、接地ブロック（５１）と、チェーン（５２）と、第１の中継歯車（５３）と、第２の中継歯車（５４）と、駆動歯車（５５）とを備え、チェーン（５２）の一端は、接地ブロックに固定接続され、第１の中継歯車（５３）は、前記固定座の端部に回転可能に接続され、第２の中継歯車（５４）は、台座（３）の内部に回転可能に接続され、駆動歯車（５５）は、台座（３）内部に回転可能に接続され、チェーン（５２）は、第１の中継歯車（５３）、第２の中継歯車（５４）、及び駆動歯車（５５）とこの順に噛合し、
過流し込みモニタリング装置は、筐体（４１）と、モータ（４２）と、伝動軸（４３）と、翼（４４）と、速度測定部とを備え、モータ（４２）は、筐体（４１）の内部に固定され、伝動軸（４３）の一端は、モータ（４２）の動力出力端に固定接続され、翼（４４）は、伝動軸（４３）の他端に固定され、速度測定部は、台座に固定され、且つ伝動軸（４３）に接続され、筐体（４１）の外壁には、歯孔列（４８）が設けられ、駆動歯車（５５）は、歯孔列（４８）と噛合される、
ことを特徴とするケーソン杭の過流し込みモニタリング装置。
【請求項２】
前記固定座は、固定リング（２１）と、２つ以上の支持アームとから構成され、２つ以上の支持アームは、いずれも固定リング（２１）の外側に均一に設けられ、支持アームは、伸縮棒（２２）と、固定ブロック（２３）とを備え、支持アームの固定端は、固定リング（２１）の外壁に固定され、固定ブロック（２３）は、支持アームの自在端に固定され、固定ブロック（２３）の底部には、弧状溝（２４）が設けられ、固定リング（２１）は、筐体（４１）の外部に嵌合され、第１の中継歯車（５３）は、固定ブロック（２３）のうちの１つに回転可能に接続される、
ことを特徴とする請求項１に記載のケーソン杭の過流し込みモニタリング装置。
【請求項３】
前記速度測定部は、歯車リング（４５）と、モニタリング歯車（４６）と、回転数検出装置（４７）とを備え、歯車リング（４５）は、駆動軸に嵌合され、モニタリング歯車（４６）は、回転数検出装置のモニタリング端に固定され、且つ歯車リング（４５）と噛合される、
ことを特徴とする請求項１に記載のケーソン杭の過流し込みモニタリング装置。
【請求項４】
前記接地ブロック（５１）の底部には、固着釘（５１１）が設けられ、且つ前記接地ブロック（５１）には、本締めボルト（５１２）が挿通される貫通孔が設けられる、
ことを特徴とする請求項１に記載のケーソン杭の過流し込みモニタリング装置。
【請求項５】
支持棒（６１）、ばね（６２）、ホイール座（６３）及び回転輪（６４）を含む２つ以上の補強アームを含む補強アセンブリをさらに備え、支持棒（６１）は、筐体（４１）の下端の両側に固定され、ホイール座（６３）は、ばね（６２）を介して支持棒（６１）の端部に固定され、２つ以上の回転輪（６４）は、ホイール座（６３）に回転可能に接続される、
ことを特徴とする請求項１に記載のケーソン杭の過流し込みモニタリング装置。
【請求項６】
プロセッサーと、警告灯（７６）と、予備起動部とをさらに備え、プロセッサー及び予備起動部は、いずれも前記筐体（４１）に配置され、警告灯（７６）は、筐体（４１）の上部に固定され、速度測定部、予備起動部及び警告灯（７６）は、それぞれプロセッサーに電気的に接続される、
ことを特徴とする請求項１に記載のケーソン杭の過流し込みモニタリング装置。
【請求項７】
予備起動部は、牽引力センサー（７１）と、接続ロープ（７２）と、網枠（７３）と、
カウンターウェイトブロック（７４）と、平板（７５）とを備え、
牽引力センサー（７１）は、筐体（４１）内部に配置され、牽引力センサー（７１）のモニタリング端は、接続ロープ（７２）の一端に接続され、接続ロープ（７２）の他端は、網枠（７３）に接続され、カウンターウェイトブロック（７４）は、網枠（７３）に配置され、平板（７５）は、網枠（７３）の底壁に固定され、牽引力センサー（７４）は、前記プロセッサーに電気的に接続される、
ことを特徴とする請求項６に記載のケーソン杭の過流し込みモニタリング装置。
【請求項８】
前記台座（３）の頂部には、固定棒（８１）が固定設置され、前記筐体（４１）には、位置決め孔（８２）が設けられ、固定棒（８１）は、位置決め孔（８２）に嵌合される、
ことを特徴とする請求項１に記載のケーソン杭の過流し込みモニタリング装置。
【発明の詳細な説明】
【技術分野】
【０００１】
本発明は、ケーソン杭モニタリング装置の分野に関し、より具体的には、ケーソン杭の過流し込みモニタリング装置に関する。
【背景技術】
【０００２】
経済発展に伴い、ますます多くのビル、橋梁などの建物が建設されてきた。建設施工過程において、ケーソン杭は、振動が小さく、圧土無し及び施工騒音が小さいなどのメリットを有するため広く用いられている。ケーソン杭を流し込む施工過程では、杭外枠にコンクリートを流し込む必要があり、コンクリートを流し込む際に、コンクリートの流し込み量を決定する必要があり、流し込み高さ不足による後期補充流し込みが必要となる場合、施工効率が低下する。打設高さが高すぎると、コンクリート硬化後に過流し込みの部分を除去する必要があり、工数だけでなく、余分なコンクリート材料を無駄にする。過流し込みの発生を避けるために、コンクリートの流し込み高さをモニタリングするように構成される過流し込みモニタリング装置を設置しなければならない。従来のケーソン杭用モニタリング装置の多くは、定型杭外枠に直接に掛かっているが、流し込み過程で杭外枠を徐々に引き抜かれるため、モニタリング装置の位置も絶えずに変化し、モニタリング装置の位置を調整したり、モニタリングデータを計算することで流し込み高さを取得したりする必要があり、面倒すぎるという課題がある。モニタリング装置を外接フックにより杭外枠に掛かる場合、杭外枠の上昇と共に、外接フックも十分な高さがある必要となり、組立時間がかかる。
【発明の概要】
【発明が解決しようとする課題】
【０００３】
従来の技術におけるモニタリング部が杭外枠と共に移動するモニタリング不能の欠陥を克服するために、発明が解決しようとする課題は、杭外枠の上昇位置に応じてモニタリング部の位置を調整し、精確なモニタリング効果を達成できるケーソン杭の過流し込みモニタリング装置を提供することである。
【課題を解決するための手段】
【０００４】
上記目的を実現するために、本発明は、以下の技術案を用いる。
【０００５】
本発明によれば、
モニタリング部と、移動部とを備えるケーソン杭の過流し込みモニタリング装置が提供される。
前記モニタリング部は、ケーソン杭の杭口杭外枠に固定するための固定座を含む台座と、台座に挿接される過流し込みモニタリング装置とを備え、前記移動部は、接地ブロックと、チェーンと、第１の中継歯車と、第２の中継歯車と、駆動歯車とを備え、チェーンの一端は、接地ブロックに固定接続され、第１の中継歯車は、前記固定座の端部に回転可能に接続され、第２の中継歯車は、台座の内部に回転可能に接続され、駆動歯車は、台座内部に回転可能に接続され、チェーンは、第１の中継歯車、第２の中継歯車、及び駆動歯車とこの順に噛合する。過流し込みモニタリング装置は、筐体と、モータと、伝動軸と、翼と、速度測定部とを備え、モータは、筐体の内部に固定され、伝動軸の一端は、モータの動力出力端に固定接続され、翼は、伝動軸の他端に固定され、速度測定部は、台座に固定され、且つ伝動軸に接続され、筐体の外壁には、歯孔列が設けられ、駆動歯車は、歯孔列と噛合される。
【０００６】
本発明の好ましい態様では、前記固定座は、固定リングと、２つ以上の支持アームとから構成され、２つ以上の支持アームは、いずれも固定リングの外側に均一に設けられ、支持アームは、伸縮棒と、固定ブロックとを備え、支持アームの固定端は、固定リングの外壁に固定され、固定ブロックは、支持アームの自在端に固定され、固定ブロックの底部には、弧状溝が設けられ、固定リングは、筐体の外部に嵌合され、前記第１の中継歯車は、固定ブロックのうちの１つに回転可能に接続される。
【０００７】
本発明の好ましい態様では、前記速度測定部は、歯車リングと、モニタリング歯車と、回転数検出装置とを備え、歯車リングは、前記駆動軸に嵌合され、モニタリング歯車は、回転数検出装置のモニタリング端に固定され、且つ歯車リングと噛合される。
【０００８】
本発明の好ましい態様では、前記接地ブロックの底部には、固着釘が設けられ、且つ前記接地ブロックには、本締めボルトが挿通される貫通孔が設けられる。
【０００９】
本発明の好ましい態様では、前記ケーソン杭の過流し込みモニタリング装置は、支持棒、ばね、ホイール座及び回転輪を含む２つ以上の補強アームを含む補強アセンブリをさらに備え、支持棒は、筐体の下端の両側に固定され、ホイール座は、ばねを介して前記支持棒の端部に固定され、２つ以上の回転輪は、ホイール座に回転可能に接続される。
【００１０】
本発明の好ましい態様では、前記過流し込みモニタリング装置は、プロセッサーと、警告灯と、予備起動部とをさらに備え、プロセッサー及び予備起動部は、いずれも前記筐体に配置され、警告灯は、筐体の上部に固定され、速度測定部、予備起動部及び警告灯は、それぞれプロセッサーに電気的に接続される。
【００１１】
本発明の好ましい態様では、予備起動部は、牽引力センサーと、接続ロープと、網枠と、カウンターウェイトブロックと、平板とを備え、牽引力センサーは、筐体内部に配置され、牽引力センサーのモニタリング端は、接続ロープの一端に接続され、接続ロープの他端は、網枠に接続され、カウンターウェイトブロックは、網枠に配置され、平板は、網枠の底壁に固定され、牽引力センサーは、前記プロセッサーに電気的に接続される。
【００１２】
本発明の好ましい態様では、前記台座の頂部には、固定棒が固定設置され、前記筐体には、位置決め孔が設けられ、固定棒は、位置決め孔に嵌合される。
【発明の効果】
【００１３】
本発明は、以下の有益な効果を有する。
本発明のケーソン杭の過流し込みモニタリング装置によれば、過流し込みモニタリング装置を常に一定の高さに維持させ、ケーソン杭に対して正確なモニタリングを保持するために、流し込み過程に杭外枠の上昇に伴い、移動部によりモニタリング部に配置された過流し込みモニタリング装置と共に相応に上昇することができる。ケーソン杭が目標高さに達すると、過流し込みモニタリング装置から信号を発し、作業員が信号を受信した後、相応する流し込みを停止し、ケーソン杭の過流し込みを避ける。杭外枠の移動によるモニタリング位置ずれによるモニタリングデータのずれの発生を避ける。
【図面の簡単な説明】
【００１４】
【図１】本発明に係るケーソン杭の過流し込みモニタリング装置の構造概略図である。
【発明を実施するための形態】
【００１５】
以下、具体的な実施形態と図面を参照しながら、本発明の技術案をさらに説明する。
【００１６】
図１に示すように、実施例では、モニタリング部と、移動部とを備えるケーソン杭の過流し込みモニタリング装置が提供される。
モニタリング部は、ケーソン杭の杭口杭外枠１に固定するための固定座を含む台座３と、台座３に挿接される過流し込みモニタリング装置とを備え、移動部は、接地ブロック５１と、チェーン５２と、第１の中継歯車５３と、第２の中継歯車５４と、駆動歯車５５とを備え、チェーン５２の一端は、接地ブロックに固定接続され、第１の中継歯車５３は、固定座の端部に回転可能に接続され、第２の中継歯車５４は、台座３の内部に回転可能に接続され、駆動歯車５５は、台座３内部に回転可能に接続され、チェーン５２は、第１の中継歯車５３、第２の中継歯車５４、及び駆動歯車５５とこの順に噛合する。過流し込みモニタリング装置は、筐体４１と、モータ４２と、伝動軸４３と、翼４４と、速度測定部とを備え、モータ４２は、筐体４１の内部に固定され、伝動軸４３の一端は、モータ４２の動力出力端に固定接続され、翼４４は、伝動軸４３の他端に固定され、速度測定部は、台座に固定され、且つ伝動軸４３に接続され、筐体４１の外壁には、歯孔列４８が設けられ、駆動歯車５５は、歯孔列４８と噛合される。
【００１７】
流し込み作業を行う前に、モニタリング部は、固定座を介して杭口杭外枠１の先端に掛けられるとともに、移動部に配置された接地ブロック５１を杭外枠１外部の地面に固定される。固定座におけるモニタリング部の高さを調整することにより、過流し込みモニタリング装置に配置された翼４４の杭外枠１内の位置をケーソン杭の目標流し込み高さとする。その後、コンクリートの流し込み作業を開始することができ、同時に、モータ４２を作動させ、モータ４２が伝動軸４３を介して翼４４を回転させる。速度測定部により伝動軸４３の回転数をモニタリングし、コンクリートが目標流し込み高さに達すると、コンクリートで翼４４の回転を阻害し、伝動軸４３の回転数を低下させる。速度測定部は、伝動軸４３の回転数の低下を検出すると、コンクリートが目標流し込み高さに達したことが分かって、コンクリートの流し込みを停止することが可能である。流し込む作業と同時に、杭外枠１を引き抜く必要があれば、杭外枠１を上に引き抜くと、移動部が同時に動作を開始する。固定座及び台座３は、杭外枠１と共に移動し、チェーン５２の一端が接地ブロック５１に固定され、且つ接地ブロックが地面に固定されるため、杭外枠１が台座３を上昇させるときに、モニタリング部内に位置するチェーン５２を牽引され、第１の中継歯車５３と第２の中継歯車５４との支持下で、台座内に位置するチェーン５２を上に引き上げられ、このとき、チェーン５２により駆動歯車５５を回転させ、駆動歯車５５を回転させた後に、筐体４１上の歯孔列４８と噛合されることにより、筐体４１と共に、モータ４２、伝動軸４３など部材を降下させ、杭外枠１の上昇高さが過流し込みモニタリング装置の降下高さと一致させ、したがって、過流し込みモニタリング装置の高さを一定に維持することができ、過流し込みモニタリング装置に配置された翼４４は、固定の高さで検出し、杭外枠１の上昇過程にてモニタリング用翼４４も上昇によるモニタリングデータ誤差を招くことを避ける。本実施例に係るモニタリング装置は、杭外枠１の上昇に伴ってモニタリング部を常に適当な高さに維持することができ、モニタリングの効果が杭外枠１の高さの影響を受けないことを保証する。また、テスト過程での過流し込みモニタリング装置の高さを繰り返し調整する手間を軽減し、モニタリングの精度を高め、モニタリング操作の難度を低下させる。
【００１８】
本発明の一実施例では、固定座は、固定リング２１と、２つ以上の支持アームとから構成され、２つ以上の支持アームは、いずれも固定リング２１の外側に均一に設けられ、支持アームは、伸縮棒２２と、固定ブロック２３とを備え、支持アームの固定端は、固定リング２１の外壁に固定され、固定ブロック２３は、支持アームの自在端に固定され、固定ブロック２３の底部には、弧状溝２４が設けられ、固定リング２１は、筐体４１の外部に嵌合され、第１の中継歯車５３は、固定ブロック２３のうちの１つに回転可能に接続される。固定リング２１は、過流し込みモニタリング装置の外部に嵌合し、伸縮棒２２を介して支持アームの長さを異なる口径の杭外枠１に適応できるように調整し、伸縮棒２２を適当な長さに調整した後、固定ブロック２３を杭外枠１の壁に嵌合し、杭外枠１を弧状溝２４に嵌め込むようにする。このような方式で過流し込みモニタリング装置を杭外枠１に固定することで、杭外枠１の上下移動場合、台座３を杭外枠１と共に移動させることができ、移動部と協力することで、過流し込みモニタリング装置が一定の高さにてモニタリングを行うことが可能である。
【００１９】
本発明の一実施例では、速度測定部は、歯車リング４５と、モニタリング歯車４６と、回転数検出装置４７とを備え、歯車リング４５は、駆動軸に嵌合され、モニタリング歯車４６は、回転数検出装置のモニタリング端に固定され、且つ歯車リング４５と噛合される。伝動軸４３は、歯車リング４５を介してモニタリング歯車４６を回転させ、モニタリング歯車４６が回転すると、回転数検出装置４７により、その回転数、すなわち、伝動軸４３の回転数を検出することができる。ケーソン杭の高さが目標高さに達しない前に、翼４４を阻害なく回転することができ、したがって、伝動軸４３の回転数は、比較的安定の状態に維持することができる。コンクリートの高さが目標高さに近づいたり、達されたりすると、コンクリートにより翼４４の回転を阻害し、伝動軸４３の回転数を低下させ、回転数センサーは、伝動軸４３の回転数の低下を検出すると、流し込みの高さが目標高さに達したことを示し、流し込み作業を停止し、過流し込みモニタリングの機能を実現し、過流し込みを避けることができる。
【００２０】
本発明の一実施例では、接地ブロック５１の底部には、固着釘５１１が設けられ、且つ接地ブロック５１には、本締めボルト５１２が挿通される貫通孔が設けられる。接地ブロック５１を固定する際に、接地ブロック５１の底部に配置された固着釘５１１が土地に挿入され、接地ブロック５１の水平位置を固定した後に、接地ブロック５１がチェーン５２を引いて地面に安定固定できるとともに、変位が生じないように本締めボルト５１２を挿入する。
【００２１】
本発明の一実施例では、ケーソン杭の過流し込みモニタリング装置は、支持棒６１、ばね６２、ホイール座６３及び回転輪６４を含む２つ以上の補強アームを含む補強アセンブリをさらに備え、支持棒６１は、筐体４１の下端の両側に固定され、ホイール座６３は、ばね６２を介して支持棒６１の端部に固定され、２つ以上の回転輪６４は、ホイール座６３に回転可能に接続される。過流し込みモニタリング装置が台座３から引き出すと、筐体４１の両側の補強アームを杭外枠１壁に支持され、ばね６２の押出下で、ホイール座６３及びプーリを壁に押し出され、支持棒６１を介して過流し込みモニタリング装置を横方向に支持することにより、台座３から引き出した後、左右両側の支持不足による変位を避ける。
【００２２】
本発明の一実施例では、過流し込みモニタリング装置は、プロセッサーと、警告灯７６と、予備起動部とをさらに備え、プロセッサー及び予備起動部は、いずれも筐体４１に配置され、警告灯７６は、筐体４１の上部に固定され、速度測定部、予備起動部及び警告灯７６は、それぞれプロセッサーに電気的に接続される。予備起動部は、翼４４よりも少し低い位置まで延び、コンクリートの高さを大まかにモニタリングすることができ、流し込んだコンクリートが予備起動部に達すると、予備起動部をトリガーし、予備起動部から信号をプロセッサーに送信し、プロセッサーにより警告灯７６及びモータ４２をトリガーし、このときに、モータ４２が伝動軸４３を回転させる。このようにして、流し込み作業の最初から電源を入れる必要がなくなり、電気エネルギーを節約する。同時に、警告灯７６もトリガーされ、外部の作業員に注意を早期喚起することができ、流し込み速度を減速し、流し込みの停止時間をコントロールするのに便利である。
【００２３】
本発明の一実施例では、予備起動部は、牽引力センサー７１と、接続ロープ７２と、網枠７３と、カウンターウェイトブロック７４と、平板７５とを備え、牽引力センサー７１は、筐体４１内部に配置され、牽引力センサー７１のモニタリング端は、接続ロープ７２の一端に接続され、接続ロープ７２の他端は、網枠７３に接続され、カウンターウェイトブロック７４は、網枠７３に配置され、平板７５は、網枠７３の底壁に固定され、牽引力センサー７４は、プロセッサーに電気的に接続される。コンクリートの高さが平板７５部に達しない場合、牽引力センサー７１が網枠７３とカウンターウェイトブロック７４との間の重量が安定であることを検出する。流し込んだコンクリートが平板７５部に達すると、下方のコンクリートで平板７５を押し上げ、牽引力センサー７４が重量低下を検出すると、信号をプロセッサーに送信し、プロセッサーが信号を受信したら、モータ２４を起動させ、電気エネルギーを節約する役割を果たす。
【００２４】
本発明の一実施例では、台座３の頂部には、固定棒８１が固定設置され、筐体４１には、位置決め孔８２が設けられ、固定棒８１は、位置決め孔８２に嵌合される。流し込み作業ときに、杭外枠１を移動させる必要がない場合もあり、この場合、接地ブロック５１の接地が必要なくなり、固定棒８１を位置決め孔８２に挿入して、過流し込みモニタリング装置を台座と一体に固定すればよい。これにより、使用中の過流し込みモニタリング装置の位置を相対的に固定され、モニタリングの安定性を向上させる。
【００２５】
本実施例の他の技術は、公知技術を採用している。
【００２６】
以上は、本発明の好適な具体的実施形態にすぎないが、本発明の請求範囲がこれに限られず、いかなる当業者が本発明で開示される技術範囲に、本発明の技術案及びその発明発想に基づいて行った等価置換や変更は、添付の特許請求の範囲に包含されることが意図されている。
【符号の説明】
【００２７】
１  杭外枠
２１  固定リング
２２  伸縮棒
２３  固定ブロック
２４  弧状溝
３  台座
４１  筐体
４２  モータ
４３  伝動軸
４４  翼
４５  歯車リング
４６  モニタリング歯車
４７  回転数検出装置
４８  歯孔列
５１  接地ブロック
５１１  固着釘
５１２  本締めボルト
５２  チェーン
５３  第１の中継歯車
５４  第２の中継歯車
５５  駆動歯車
６１  支持棒
６２  ばね
６３  ホイール座
６４  回転輪
７１  牽引力センサー
７２  接続ロープ
７３  網枠
７４  カウンターウェイトブロック
７５  平板
７６  警告灯
８１  固定棒
８２  位置決め孔
【要約】      （修正有）【課題】モニタリング部と、移動部とを備えるケーソン杭の過流し込みモニタリング装置を提供する。【解決手段】モニタリング部と、移動部とを備え、モニタリング部は、ケーソン杭の杭口杭外枠１に固定するための固定座を含む台座３と、過流し込みモニタリング装置とを備え、移動部は、接地ブロック５１と、チェーン５２と、第１の中継歯車５３と、第２の中継歯車５４と、駆動歯車５５とを備え、過流し込みモニタリング装置を常に一定の高さに維持させ、ケーソン杭が目標高さに達すると、過流し込みモニタリング装置から信号を発し、作業員が信号を受信した後、相応する流し込みを停止し、ケーソン杭の過流し込みを避ける。【選択図】図１【図１】
0006925088.tif 000002